(57)【要約】【課題】改善されたＩＭを提供する。【解決手段】サーバ装置２００に、１以上のカメラ５４２を設け、各カメラ５４２は、クライアント装置を撮像する。サーバ装置２００の制御部５１０は、クライアント撮像記憶部５５０を参照し、一のクライアント装置を撮像するカメラ５４２を判別する。そして、そのカメラ５４２が撮像した画像を他のクライアント装置に送信する。【選択図】図３
2007096994.tif 000002
【特許請求の範囲】
【請求項１】
サーバ装置と、通信ネットワークを介して接続される２以上のクライアント装置とから構成され、前記クライアント装置は他のクライアント装置とメッセージを交換することを特徴とするメッセージングシステムであって、
前記サーバ装置は、
前記クライアント装置を撮像する１以上の撮像手段と、
前記クライアント装置を特定する情報と、そのクライアント装置を撮像する撮像装置を特定する情報とを関連づけたクライアント撮像データを保存するクライアント撮像データ保存手段と、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手段と、
から構成され、
前記クライアント装置は、
前記他のクライアント装置からのプレゼンス情報を受信して、出力するプレゼンス情報受信出力手段と、
前記クライアント装置の使用者の指示にしたがって、前記他のクライアント装置とメッセージを送受信するメッセージ送受信手段と、
から構成されることを特徴とするメッセージングシステム。
【請求項２】
前記クライアント装置は、当該クライアント装置を特定する情報と、当該クライアント装置を指定した前記撮像手段が撮像する要求を前記サーバ装置に送信する撮像要求送信手段をさらに備え、
前記サーバ装置は、
前記撮像要求送信手段からの撮像要求を受信する撮像要求受信手段と、
前記撮像要求受信手段が撮像要求を受信すると、当該要求で指定された前記撮像手段が前記クライアント装置を撮像するように、前記クライアント撮像データを書き換えるクライアント撮像データ書き換え手段と、
をさらに備えることを特徴とする請求項１に記載のメッセージングシステム。
【請求項３】
通信ネットワークを介して２以上のクライアント装置が接続されるサーバ装置であって、
前記クライアント装置を撮像する１以上の撮像手段と、
前記クライアント装置を特定する情報と、そのクライアント装置を撮像する撮像装置を特定する情報とを関連づけたクライアント撮像データを保存するクライアント撮像データ保存手段と、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手段と、
から構成されることを特徴とするサーバ装置。
【請求項４】
通信ネットワークを介して２以上のクライアント装置と接続され、前記クライアント装置を撮像する１以上の撮像部を有する装置の画像配信方法であって、
前記クライアント装置を特定する情報と、そのクライアント装置を撮像する撮像装置を特定する情報とを関連づけたクライアント撮像データを保存するクライアント撮像データ保存ステップと、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信ステップと、
から構成されることを特徴とする画像配信方法。
【請求項５】
通信ネットワークを介して２以上のクライアント装置と接続され、前記クライアント装置を撮像する１以上の撮像部を有するコンピュータの動画像配信プログラムであって、
コンピュータに、
前記クライアント装置を特定する情報と、そのクライアント装置を撮像する撮像装置を特定する情報とを関連づけたクライアント撮像データを保存するクライアント撮像データ保存手順、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手順、
を実行させることを特徴とするプログラム。
【発明の詳細な説明】
【技術分野】
【０００１】
本発明は、メッセージングシステム、サーバ装置、画像配信方法およびプログラムに関する。
【背景技術】
【０００２】
通信ネットワーク上で、メッセージの交換を行うインスタントメッセージング（ＩＭ；  Instant Messaging）サービスが知られている。ＩＭの利用者は、通信相手とのメッセージの交換の便宜のため、自らの状態を表す情報を通信相手に提示できる。この「自らの状態を表す情報」のことをプレゼンス情報という。
【０００３】
プレゼンス情報は、例えば、「在席」、「不在」、「多忙」等の自らの状態を示すテキスト情報や画像情報などがある。ＩＭの利用者は、相手方のプレゼンス情報を見て、相手の状態を判別し、メッセージを送信する。
【０００４】
従来のＩＭでは、ＩＭの利用者がプレゼンス情報を設定する必要がある。このため、ＩＭの利用者が、プレゼンス情報の更新を忘れることが多くあり、プレゼンス情報の信頼度は低い。
このような問題点を解決するため、特許文献１には、ＩＭを利用している端末にカメラとマイクとを設け、その端末の周囲を撮像した画像と音声とを相手方の端末に送信し、相手方端末でこれらをプレゼンス情報として出力するという技術が開示されている。
【特許文献１】特開２００４−２１４９３４号公報
【発明の開示】
【発明が解決しようとする課題】
【０００５】
特許文献１に開示されている技術では、相手方が利用している端末にカメラがついていなければならないが、ＩＭの利用者の端末には、カメラがついていないものも多い。このため、相手方の端末にカメラがない場合は、従来の文字情報や画像情報によるプレゼンス情報を利用するしかなく、プレゼンス情報の信頼度は減る。
【０００６】
本発明は、上記問題点に鑑みてなされたものであり、メッセージングシステムにおいて、適切なプレゼンス情報を簡単に提供できるようにすることを目的とする。
【課題を解決するための手段】
【０００７】
上記課題を解決するため、本発明の第１の観点に係るメッセージングシステムは、
サーバ装置と、通信ネットワークを介して接続される２以上のクライアント装置とから構成され、前記クライアント装置は他のクライアント装置とメッセージを交換することを特徴とするメッセージングシステムであって、
前記サーバ装置は、
前記クライアント装置を撮像する１以上の撮像手段と、
前記クライアント装置を特定する情報と、そのクライアント装置を撮像する撮像装置を特定する情報とを関連づけたクライアント撮像データを保存するクライアント撮像データ保存手段と、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手段と、
から構成され、
前記クライアント装置は、
前記他のクライアント装置からのプレゼンス情報を受信して、出力するプレゼンス情報受信出力手段と、
前記クライアント装置の使用者の指示にしたがって、前記他のクライアント装置とメッセージを送受信するメッセージ送受信手段と、
から構成されることを特徴とする。
【０００８】
前記クライアント装置は、当該クライアント装置を特定する情報と、当該クライアント装置を指定した前記撮像手段が撮像する要求を前記サーバ装置に送信する撮像要求送信手段をさらに備え、
前記サーバ装置は、
前記撮像要求送信手段からの撮像要求を受信する撮像要求受信手段と、
前記撮像要求受信手段が撮像要求を受信すると、当該要求で指定された前記撮像手段が前記クライアント装置を撮像するように、前記クライアント撮像データを書き換えるクライアント撮像データ書き換え手段と、
をさらに備えることを特徴としてもよい。
【０００９】
上記課題を解決するため、本発明の第２の観点に係るサーバ装置は、
通信ネットワークを介して２以上のクライアント装置が接続されるサーバ装置であって、
前記クライアント装置を撮像する１以上の撮像手段と、
前記クライアント装置を特定する情報と、そのクライアント装置を撮像する撮像装置を特定する情報とを関連づけたクライアント撮像データを保存するクライアント撮像データ保存手段と、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手段と、
から構成されることを特徴とする。
【００１０】
上記課題を解決するため、本発明の第３の観点に係る画像配信方法は、
通信ネットワークを介して２以上のクライアント装置と接続され、前記クライアント装置を撮像する１以上の撮像部を有する装置の画像配信方法であって、
前記クライアント装置を特定する情報と、そのクライアント装置を撮像する撮像装置を特定する情報とを関連づけたクライアント撮像データを保存するクライアント撮像データ保存ステップと、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信ステップと、
から構成されることを特徴とする。
【００１１】
上記課題を解決するため、本発明の第４の観点に係るプログラムは、
通信ネットワークを介して２以上のクライアント装置と接続され、前記クライアント装置を撮像する１以上の撮像部を有するコンピュータの動画像配信プログラムであって、
コンピュータに、
前記クライアント装置を特定する情報と、そのクライアント装置を撮像する撮像装置を特定する情報とを関連づけたクライアント撮像データを保存するクライアント撮像データ保存手順、
他のクライアント装置に一のクライアント装置を撮像した画像を送信する場合において、前記クライアント撮像データを参照し、一のクライアント装置を撮像している前記撮像手段を判別し、その撮像手段が撮像した画像を他のクライアント装置にプレゼンス情報として送信する画像送信手順、
を実行させることを特徴とする。
【発明の効果】
【００１２】
本発明によれば、サーバ装置が有するカメラが一のクライアント装置を撮像し、その撮像した画像を他のクライアント装置に送信するので、適切な一のクライアント装置のプレゼンス情報を他のクライアント装置に簡単に提供できるようになる。
【発明を実施するための最良の形態】
【００１３】
以下、本発明の実施形態に係るメッセージングシステム１について、図面を参照して説明する。
【００１４】
図１は、本発明のメッセージングシステム１を構成するクライアント装置１００Ａ〜１００Ｎとサーバ装置２００とが、通信ネットワークＣに接続されている一例を示す図である。図１では、クライアント装置１００は３台しか表れていないが、クライアント装置１００の台数に制限はない。
【００１５】
通信ネットワークＣは、たとえば、ＴＣＰ／ＩＰ（Transmission Protocol/Internet Protocol）などの通信プロトコルに基づく通信ネットワークである。
【００１６】
図２は、クライアント装置１００の構成の一例を示す図である。クライアント装置１００は、制御部３１０と、記憶部３２０と、通信制御部３３０と、表示部３４０と、入力部３５０と、バス３９０とから構成される。制御部３１０と、記憶部３２０と、通信制御部３３０と、表示部３４０と、入力部３５０とは、バス３９０で相互に接続される。
【００１７】
制御部３１０は、たとえば、ＣＰＵ（Central Processing Unit）から構成され、記憶部３２０に記憶された動作プログラムに基づき、各部を制御する。
【００１８】
記憶部３２０は、たとえば、ＲＡＭ（Random Access Memory）やハードディスク装置から構成され、制御部３１０の動作を制御するためのオペレーティングシステム（ＯＳ；  Operating System）やアプリケーションプログラムを記憶し、制御部３１０が演算を行うためのワークエリアを提供し、データの記憶を行う。記憶部３２０に記憶されるプログラムには、たとえば、他のクライアント装置１００とメッセージをやりとりするプログラムが含まれる。
【００１９】
通信制御部３３０は、たとえば、ＮＩＣ（Network Interface Card）のような通信装置を有し、制御部３１０の制御下に、サーバ装置２００とのデータの送受信を行う。
【００２０】
表示部３４０は、たとえば、ＣＰＵ、ＤＳＰ（Digital Signal Processor）、ＶＲＡＭ（Video Random Access Memory）、音声Ｄ／Ａ（Digital/Analogue）変換器、ディスプレイ、スピーカから構成され、制御部３１０の制御下に画像データを受け付けて表示し、音声データを受け付けて放音する。
【００２１】
入力部３５０は、たとえば、ＵＳＢ（Universal Serial Bus）から構成され、接続されたキーボードやマウス等の入力デバイス３５１が接続される。入力部３５０は、入力デバイス３５１からの入力情報を取り込み、制御部３１０に供給する。
【００２２】
入力デバイス３５１は、キーボード、マウス、入力パッドなどから構成され、他のクライアント装置１００とメッセージをやりとりする際に、メッセージや種々の指示を入力する。
【００２３】
図３は、サーバ装置２００の構成の一例を示す図である。サーバ装置２００は、制御部５１０と、記憶部５２０と、通信制御部５３０と、入力部５４０と、クライアント撮像記憶部５５０と、バス５９０とから構成される。制御部５１０と、記憶部５２０と、通信制御部５３０と、入力部５４０と、クライアント撮像記憶部５５０とは、バス５９０で相互に接続される。
【００２４】
制御部５１０は、たとえば、ＣＰＵから構成され、記憶部５２０に記憶された動作プログラムに基づき、各部を制御する。
【００２５】
記憶部５２０は、たとえば、ＲＡＭやハードディスク装置から構成され、制御部５１０の動作を制御するためのオペレーティングシステムやアプリケーションプログラムを記憶し、制御部５１０が演算を行うためのワークエリアを提供し、データの記憶を行う。
【００２６】
通信制御部５３０は、たとえば、ＮＩＣのような通信装置を有し、制御部５１０の制御下に、クライアント装置１００とのデータの送受信を行う。
【００２７】
入力部５４０は、たとえば、ＵＳＢから構成され、接続されたキーボードやマウス等の入力デバイス５４１やカメラ５４２が接続される。入力部５４０は、入力デバイス５４１やカメラ５４２からの入力情報を取り込み、制御部５１０に供給する。
【００２８】
入力デバイス５４１は、キーボード、マウス、入力パッドなどから構成され、たとえば、サーバ装置２００の設定を変更する際に、種々の指示を入力する。
【００２９】
カメラ５４２は、利用者の画像を相手のクライアント装置１００にプレゼンス情報として送信するために、利用者の存在（所在）予定領域、一般的には、カメラ５４２の正面領域を撮影する。
カメラ５４２は、図４に示すように、レンズ４００と、撮像部４１０と、駆動機構４２０と、被写体距離測定部４３０とから構成される。
【００３０】
撮像部４１０は、たとえば、ＣＣＤ（Charge Coupled Device）等から構成され、レンズ４００からの入射光をドットマトリクスデータに変換したものを、入力部３５０を介して制御部３１０に送信する。
【００３１】
駆動機構４２０は、たとえば、ステップモータから構成され、レンズ４００の位置を、その光学軸方向に移動させる。
【００３２】
被写体距離測定部４３０は、たとえば、オートフォーカス機構により、被写体までの距離を測定する。
【００３３】
制御部５１０は、被写体距離測定部４３０に被写体までの距離を測定させ、測定した距離に基づき、被写体がレンズ４００の焦点位置に位置するように、駆動機構４２０に、レンズ４００の位置を移動させる。
【００３４】
クライアント撮像記憶部５５０は、たとえば、ハードディスクから構成され、一のクライアントを特定する情報と、一のクライアントを撮像するサーバ装置２００のカメラ５４２を特定する情報とを関連づけて記憶する。
【００３５】
図５は、クライアント撮像記憶部５５０が記憶するデータのデータ構造の一例を示す図である。たとえば、図５の第１エントリは、カメラＡが、クライアント装置１００Ａを撮像していることを意味し、第２エントリは、カメラＢが、クライアント装置１００Ｂを撮像していることを意味し、第３エントリは、カメラＮが、クライアント装置１００Ｎを撮像していることを意味する。
【００３６】
次に、クライアント装置１００およびサーバ装置２００の画像配信時の動作を、クライアント装置１００Ａの画像をクライアント装置１００Ｂが見る場合を例に、図７のフローチャートを用いて説明する。なお、クライアント装置１００Ａおよびサーバ装置２００は、あらかじめ起動が完了していて、常に動作しているものとする。また、サーバ装置２００のカメラ５４２は、継続的に画像をサーバ装置２００に送信しているものとする。
【００３７】
ユーザが、クライアント装置１００Ｂのメッセージ交換機能を起動し、さらに、メッセージの交換先（相手）を特定すると、制御部３１０は図７の処理を開始し、表示部３４０に図６に例示するメッセージング画面を表示する（ステップＳ１）。
【００３８】
図６のメッセージング画面６００は、メッセージの交換相手として、クライアント装置１００Ａと１００Ｎとが指定されているときの例である。
【００３９】
このメッセージング画面６００は、プレゼンス表示エリア６０１と、会話ウインドウ６０４と、入力ボックス６０５とを有する。
プレゼンス表示エリア６０１は、クライアント装置１００Ｂとメッセージの交換が可能となっているクライアント装置１００から送信されてくる画像（プレゼンス情報）を表示するエリアである。プレゼンス表示エリア（ウインドウ）６０１は、メッセージの交換が可能となっているクライアント装置１００の数だけ生成される。この例では、クライアント装置１００Ａと１００Ｎとの間でメッセージの交換が可能な状態となっている。このため、クライアント装置１００Ａと１００Ｎとからの画像を表示する２つのプレゼンス表示エリア６０１が形成されている。
【００４０】
なお、プレゼンス表示エリア６０１には、通常時は、サーバ装置２００のカメラ５４２が撮像した画像が表示される。この例では、クライアント装置１００Ｎの利用者（カメラ５４２の撮像範囲内に存在する場合）の画像が表示される。このようにすることで、自分は相手の在不在、すなわちプレゼンスを確認することができ、また、相手は、クライアント装置１００にカメラがついていなくとも、画像によってプレゼンスを通知することができる。
【００４１】
会話ウインドウ６０４は、クライアント装置１００間で交換されたメッセージを表示するエリアである。
入力ボックス６０５は、自己のメッセージを入力するエリアである。利用者は、入力デバイス３５１を操作して、ここに任意のメッセージを入力する。制御部３１０は、入力されたメッセージを会話ウインドウ６０４に表示すると共に他のクライアント装置１００宛に送信する。
【００４２】
サーバ装置２００の制御部５１０は、クライアント撮像記憶部５５０を参照し、クライアント装置１００Ａを撮像しているカメラ５４２がどれかを判別する（ステップＳ２）。たとえば、クライアント撮像記憶部５５０の設定が図５のようになっている場合、クライアント装置１００Ａを撮像しているカメラは、カメラＡであると判別する。
【００４３】
続いて、クライアント装置１００Ａを撮像するカメラ５４２を判別すると、サーバ装置２００の制御部５１０は、通信制御部５３０を介して、クライアント装置１００Ａを撮像するカメラ５４２が継続的に送信する被写体の画像を、クライアント装置１００Ｂに対して送信する（ステップＳ３）。
【００４４】
クライアント装置１００Ｂの制御部１００は、ステップＳ３の処理で受け取ったクライアント装置１００Ａの画像を再生する（ステップＳ４）。一方、サーバ装置２００の制御部５１０は、ステップＳ２の処理に戻って処理を行い、クライアント装置１００Ａの画像の送信を続ける。
【００４５】
以上説明したように、本発明に係るメッセージングシステム１は、一のクライアント装置１００の画像を、他のクライアント装置１００が要求したときに、サーバ装置２００は、一のクライアント装置１００を撮像するカメラ５４２が撮像した画像を他のクライアント装置１００に送信する。
このような構成をとることで、一のクライアント装置１００のユーザは、カメラをクライアント装置１００に有しなくとも、画像によって自分の在不在（プレゼンス）を他のクライアント装置１００に伝えることができる。
【００４６】
この発明は、上記実施の形態に限定されず、種々の変形及び応用が可能である。
【００４７】
クライアント装置１００は、カメラ５４２を指定した上で、サーバ装置２００のクライアント撮像記憶部５５０が記憶する内容を変更できるようにしてもよい。
この機能は、クライアント装置１００が、当該クライアント装置１００を特定する情報と、当該クライアント装置１００を撮像するカメラ５４２を特定する情報とをサーバ装置２００に送信し、サーバ装置２００はこれらの情報に基づいて、クライアント撮像記憶部５５０の内容を書き換えることで実現される。
このような構成をとることで、たとえば、カメラのないクライアント装置１００を有するユーザが移動した場合でも、サーバ装置２００に対して移動先のカメラ５４２でクライアント装置１００を撮像するように指示できる。このため、カメラを持たないクライアント装置１００であっても、常にカメラ５４２によってプレゼンスを相手のクライアント装置１００に伝えることができる。
【００４８】
クライアント装置１００は、独自にカメラを備え、他のクライアント装置１００と画像を送受信してもよい。
【００４９】
サーバ装置２００は、カメラ５４２が撮像する画像の画質を落として、すべてのクライアント装置１００に送信してもよい。このようにすることで、画像によりクライアント装置１００のユーザが無制限に鮮明な画像で監視されることがなくなるため、クライアント装置１００のユーザが画像により監視されることに対する抵抗感・束縛感を少ないものとすることができる。
【００５０】
クライアント装置１００は、画像を再生できる装置であれば任意である。たとえば、パーソナルコンピュータ、携帯電話機、ＰＤＡ（Personal Digital Assistance）であってもよい。
【００５１】
上述の実施形態では、カメラ５４２は、レンズ４００と撮像部４１０との相対位置を駆動機構４２０により調整することで、鮮明画像（焦点の合っている画像）を生成したが、鮮明画像と非鮮明画像を生成したり、切り換えたりする手法は任意である。例えば、レンズ４００の被写界深度を深くして、被写体の位置によらずにピントが合った状態とし、撮像部４１０の出力した鮮明な画像の画像データをプレゼンス情報として提供したり、ＣＣＤが撮像した鮮明な画像を、トランスコードやビットレートを下げた再圧縮や意図的なパケットロスにより画質を落として提供したりすることで、非鮮明な画像に変換して、提供するようにしてもよい。或いは、カメラ５４２が出力する画像データから比較的鮮明な画像と非鮮明な画像とを生成して切り換えて提供するようにしてもよい。
【００５２】
また、画像の形式や内容は任意である。たとえば、ＪＰＥＧ（Joint Photographic Experts Group）の静止画像や、（ＭＰＥＧ（Moving Picture Experts Group）−２、ＭＰＥＧ−４ビデオや３ＧＰＰ／３ＧＰＰ２（3rd Generation Partnership Project/3rd Generation Partnership Project 2）対応ビデオやＭｏｔｉｏｎ−ＪＰＥＧの動画像や、音声、テキスト、あるいはこれらが融合したものでもよい。
【００５３】
本発明に係るクライアント装置１００やサーバ装置２００は、専用のシステムによらず、通常のコンピュータシステムを用いて実現可能である。たとえば、上述の動作を実行するためのプログラムを、コンピュータが読みとり可能な記録媒体（フレキシブルディスク、CD-ROM、DVD-ROM等）に格納して配布し、当該プログラムをコンピュータにインストールすることにより、上述の処理を実行する、サーバ装置およびクライアント装置を構成してもよい。また、インターネット等の通信ネットワーク上のサーバ装置が有するストレージに当該プログラムを格納しておき、通常のコンピュータシステムがダウンロード等することでサーバ装置及びクライアント装置を構成してもよい。
【００５４】
また、上述の機能を、ＯＳとアプリケーションの分担、またはＯＳとアプリケーションとの協働により実現する場合などには、アプリケーション部分のみを記録媒体やストレージに格納してもよい。
【００５５】
また、搬送波にプログラムを重畳し、通信ネットワークを介して配信することも可能である。
【図面の簡単な説明】
【００５６】
【図１】メッセージングシステムを構成するクライアント装置とサーバ装置とが、通信ネットワークに接続されている一例を示す図である。
【図２】クライアント装置の構成の一例を示す図である。
【図３】サーバ装置の構成の一例を示す図である。
【図４】カメラの構成の一例を示す図である。
【図５】クライアント撮像記憶部が記憶するデータのデータ構造の一例を示す図である。
【図６】クライアント装置が動作しているときに、表示部が表示する画面の一例を示す図である。
【図７】クライアント装置およびサーバ装置の画像配信時の動作を、一のクライアント装置の画像を他のクライアント装置が見る場合を例に、説明したフローチャートである。
【符号の説明】
【００５７】
１      メッセージングシステム
１００  クライアント装置
２００  サーバ装置
３１０  制御部
３２０  記憶部
３３０  通信制御部
３４０  表示部
３５０  入力部
３５１  入力デバイス
４００  レンズ
４１０  撮像部
４２０  駆動機構
４３０  被写体距離測定部
５１０  制御部
５２０  記憶部
５３０  通信制御部
５４０  入力部
５４１  入力デバイス
５４２  カメラ
５５０  クライアント撮像記憶部
５９０  バス
Ｃ      通信ネットワーク
【図１】
2007096994.tif 000003
【図２】
2007096994.tif 000004
【図３】
2007096994.tif 000005
【図４】
2007096994.tif 000006
【図５】
2007096994.tif 000007
【図６】
2007096994.tif 000008
【図７】
2007096994.tif 000009